(57)【要約】      （修正有）【課題】構造が簡単で、安価に製造でき、装着時の眼鏡の曇りを防止できると共に、呼気、吸気がマスク本体を通らずに外部と連通するのを防止するマスクを提供する。【解決手段】マスクは、フィルター機能を備えたマスク本体と、マスク本体の両側部に設けた耳かけ部８とを有し、装着時に顔面の鼻尖付近に対応するマスク本体を形成する不織布部材１の位置に不織布部材の全幅にわたって伸びる少なくとも一つの呼気上昇防止襞を設けた。この呼気上昇防止襞は、不織布部材の上縁部にほぼ平行に横断基線７に沿って筒状体を成すように折りたたみ、両側端基部６ａ、６ｂ及び中央基部６ｃは不織布部材に固着されている。【選択図】図３
0003191201.tif 000002
【実用新案登録請求の範囲】
【請求項１】
フィルター機能を備えマスク本体と、マスク本体の両側部に設けた耳かけ部とを有し、装着時に顔面の鼻尖付近に対応するマスク本体を形成する不織布部材の位置に不織布部材の全幅にわたって伸びる少なくとも一つの呼気上昇防止襞を設けたことを特徴とするマスク。
【請求項２】
呼気上昇防止襞の各々がマスク本体を形成する不織布部材と一体に形成され、各呼気上昇防止襞の両側端部分及び中央部分がマスク本体に固着されることを特徴とする請求項１記載のマスク。
【請求項３】
マスク本体を形成する不織布部材の上端部を顔面に対向する内側に所定の幅に少なくとも一回折曲げて帯状の肉厚部が形成され、帯状の肉厚部の両側方端部分が不織布部材の内側面に接着され、帯状の肉厚部の中間部分には鼻受け凹部が形成され、帯状の肉厚部の中間部分を開いて鼻受け凹部に鼻尖及び鼻翼を受けるように構成されることを特徴とする請求項１記載のマスク。
【請求項４】
マスクを顔面にそのまま密着させ、紐を耳に掛け、そして肉厚部の外側中央を両手の親指と人差指で摘み、顔面から引き離しながら肉厚部の中間部分を上に向かって開かせ鼻筋に密着させるように構成されていることを特徴とする請求項３記載のマスク。
【請求項５】
マスク本体を形成する不織布部材の上端部を顔面に対向する内側に所定の幅に少なくとも一回折曲げて帯状の肉厚部が形成され、帯状の肉厚部の長手方向中央部分を不織布部材の内側面に接着してその付近の裏側を使用者の鼻尖上に当接するように構成され、帯状の肉厚部の端縁部において各耳かけ部の一端が端縁部付近に固着され、各耳かけ部を耳に掛けた際に帯状の肉厚部の長手方向中央部分から端縁部まで伸びる帯状の肉厚部の側方内側部分の各々が上方へ展開できるように構成され、装着時に帯状の肉厚部の長手方向に沿った上端縁部が使用者の鼻尖から鼻翼及び頬に沿って密着するように構成されることを特徴とする請求項１記載のマスク。
【請求項６】
マスク本体を形成する不織布部材の上端部を顔面に対向する内側に所定の幅に少なくとも一回折曲げて帯状の肉厚部が形成され、帯状の肉厚部を不織布部材の内側面に接着して帯状の肉厚部の中央部分付近が使用者の鼻尖上に当接する当接部が形成され、帯状の肉厚部の下方位置で不織布部材の端縁部に各耳かけ部の一端が固着され、各耳かけ部を耳に掛けた際に帯状の肉厚部の中央部分から端縁部まで伸びる帯状の肉厚部の側方部分の各々を顔面側に折り込んで各耳かけ部により顔面の頬部位に当接させるように構成され、装着時に帯状の肉厚部の長手方向に沿った上端縁部が使用者の鼻尖から鼻翼及び頬に沿って密着するように構成されることを特徴とする請求項１記載のマスク。
【請求項７】
呼気上昇防止襞の各々が互いに連続して設けられていることを特徴とする請求項１記載のマスク。
【請求項８】
呼気上昇防止襞の各々が互いに離間して設けられていることを特徴とする請求項１記載のマスク。
【請求項９】
呼気上昇防止襞が長めに形成され、下方に向けて丸めて設けられていることを特徴とする請求項１記載のマスク。
【請求項１０】
呼気上昇防止襞が長めに形成され、上方に向けて丸めて設けられている項１記載のマスク。
【考案の詳細な説明】
【技術分野】
【０００１】
本考案は、装着時に呼気、吸気がマスク本体のフィルター部材を実質的に介して行われるようにしたマスクに関するものであり、特に眼鏡を使用している者が呼気により眼鏡の曇りを実質的に防止できるように構成したマスクに関する。
【背景技術】
【０００２】
従来、装着時に呼気、吸気がマスク本体のフィルター部材を通らずに外部と連通するのを防止するように構成したマスクは種々提案されており、先行技術の例として、特許文献１：特開２００５−１３４９２号公報、特許文献２：実用新案登録第３０７５１７８号公報、特許文献３：実用新案登録第３１７４１７０号公報、特許文献４：米国特許第５，８０４，２９５号明細書、特許文献５：実用新案登録第３０９１２２４号公報、特許文献６：特開２００７−２８３０４５号公報及び特許文献７：特開２００８−２０６９４０号公報を挙げることができる。
【０００３】
特許文献１には、マスクの周囲部と顔面との間から外気の進入や呼気漏れを防止するため、多孔性のマスク本体部の顔面に対向する側の周辺部の全周にわたって所定幅をもつ装着部を設け、この装着部が顔面の凹凸に合わせて変形する発泡部材と、マスク本体部の周辺部の全周で顔面に隙間なく接着される接着性部材とから成っているマスクが記載されている。
【０００４】
特許文献２には、マスク本体の下部に、顔面との間に吐気の排出口を形成する凹部を設けた眼鏡の曇らないマスクが記載されている。
【０００５】
特許文献３には、一対のシートの一端縁を湾曲状に接合して前方へ膨出するカップ状に形成したマスク本体を有し、マスク本体の各シートの上端縁のそれぞれに、上方に突出する山形カーブの突出片を対称に設け、各突出片の内側面にパッドを設けて成るマスクが記載されている。
【０００６】
特許文献４には、フィルターを形成する波形不織布を、その波形形状を維持する形状維持手段に固定した複合構造のマスクが記載されている。
【０００７】
特許文献５には、マスク本体の幅に合わせた長めのガーゼ及び薄いビニールを重ねて細長く重ね折りしてマスクの内側上部に縫い付け或いは貼り付けた構造のマスクが記載されている。
【０００８】
特許文献６には、二枚の金具をマスク本体の上端部の接肌面に沿って曲げ、二枚の金具の間にゴムを挟み、接肌面にウレタン樹脂を張って気密を保つようにしたマスクが記載されている。
【０００９】
特許文献７には、マスク本体の上部内側面に粘着剤を塗布し、装着時にマスクの内側面上部一帯を直接顔面に貼り付けるように構成したマスクが記載されている。
【００１０】
特に眼鏡を使用している者にとって寒い季節に屋外から乗り物や建物のような屋内へ移動する際にマスクを装着していると、温度差や湿度差により眼鏡が曇り視界が妨げられ、使用者には見えにくいなどの不快感が生じるだけでなく、移動したり物を動かす際に予期せずにつまずいたり物に接触したりしてけがや物を損傷させたりする恐れがある。
【００１１】
しかし、特許文献１に記載されたマスクでは、多孔性のマスク本体部の顔面に対向する側の周辺部の全周にわたって装着部を設け、しかもこの装着部が顔面の凹凸に合わせて変形する発泡部材と、マスク本体部の周辺部の全周で顔面に隙間なく接着される接着性部材とで構成しているので、材料費や製造コストが嵩み、使い捨てマスクとして使用するには実用的ではない欠点がある。
【００１２】
また、特許文献２に記載されたマスクは、眼鏡の曇らないマスクとしてはある程度効果があるかも知れないが、マスク本体の下部が外部へ開放していることからして、マスク本来の機能である外部からの花粉、粉塵や病原菌の侵入を防ぐことができないだけでなく、呼気中に含まれる病原菌やウイルスの飛散を十分に防ぐことができない。
【００１３】
さらに、特許文献３、特許文献４、特許文献５及び特許文献６に記載のマスクは、構造が複雑であり、製造コストが高くなり、使い捨てマスクとしての実用性に乏しい。
【００１４】
さらにまた、特許文献７に記載されたマスクでは、マスク本体の上部内側面に粘着剤を塗布し、装着時にマスクの内側面上部一帯を直接顔面に貼り付けるように構成しているので、マスクを繰り返し装着したり外したりしていると、顔面の粘着部位に肌荒れが生じたり跡がついたりし、また、マスクの装着及び取り外しを繰り返すうちに粘着力が弱くなるなどの問題がある。
【先行技術文献】
【特許文献】
【００１５】
【特許文献１】特開２００５−１３４９２号公報
【特許文献２】実用新案登録第３０７５１７８号公報
【特許文献３】実用新案登録第３１７４１７０号公報
【特許文献４】米国特許第５，８０４，２９５号明細書
【特許文献５】実用新案登録第３０９１２２４号公報
【特許文献６】特開２００７−２８３０４５号公報
【特許文献７】特開２００８−２０６９４０号公報
【考案の概要】
【考案が解決しようとする課題】
【００１６】
そこで、本考案の目的は、製造コストを低く抑えて多量生産に適し、装着時の眼鏡の曇りを防止できると共に、花粉、粉塵、病原菌、ウイルスなどの侵入並びに使用者の呼気中に含まれる病原菌やウイルスの飛散を防止できる安価なマスクを提供することにある。
【課題を解決するための手段】
【００１７】
上記の目的を達成するために、本考案によれば、
フィルター機能を備えマスク本体と、マスク本体の両側部に設けた耳かけ部とを有し、装着時に顔面の鼻尖より上方部位に対応するマスク本体を形成する不織布部材の位置に不織布部材の全幅にわたって伸びる少なくとも一つの呼気上昇防止襞を設けたことを特徴するマスクが提供される。
呼気上昇防止襞の各々がマスク本体を形成する不織布部材と一体に形成され、各呼気上昇防止襞の両側端部分及び中央部分がマスク本体に接着剤、縫い合わせ或いは圧着などのような適当な固着手段を用いて固着され得る。
【００１８】
本考案の一実施形態によれば、マスク本体を形成する不織布部材の上端部を顔面に対向する内側に所定の幅に少なくとも一回折曲げて帯状の肉厚部が形成され、帯状の肉厚部の両側方端部分は不織布部材の内側面に接着され、帯状の肉厚部の中間部分には鼻受け凹部が形成され、帯状の肉厚部の中間部分を開いて鼻受け凹部に鼻尖及び鼻翼を受けるように構成され得る。代わりに、マスクの装着は、マスク本体を顔面にそのまま密着させ、紐を耳に掛け、肉厚部の外側の中央を両手の親指と人差指で摘んで、顔面から引き離しながらすなわち顔面から浮かせながら肉厚部の中央部分を、上に向かって開かせ鼻筋に密着させることにより行うこともできる。
【００１９】
本考案の別の実施形態によれば、マスク本体を形成する不織布部材の上端部を顔面に対向する内側に所定の幅に少なくとも一回折曲げて帯状の肉厚部が形成され、帯状の肉厚部の長手方向中央部分を不織布部材の内側面に接着してその付近の裏側を使用者の鼻尖上に当接するように構成され、帯状の肉厚部の端縁部において各耳かけ部の一端は内側に折り曲げた方の面に固着され、各耳かけ部を耳に掛けた際に帯状の肉厚部の長手方向中央部分から端縁部まで伸びる帯状の肉厚部の側方内側部分の各々は上方へ展開できるように構成され、装着時に帯状の肉厚部の長手方向に沿った上端縁部が使用者の鼻尖から鼻翼及び頬に沿って密着するように構成され得る。
【００２０】
本考案のさらに別の実施形態によれば、マスク本体を形成する不織布部材の上端部を顔面に対向する内側に所定の幅に少なくとも一回折曲げて帯状の肉厚部が形成され、帯状の肉厚部を不織布部材の内側面に接着して帯状の肉厚部の中央部分付近が使用者の鼻尖上に当接する当接部が形成され、帯状の肉厚部の下方位置で不織布部材の端縁部に各耳かけ部の一端が固着され、各耳かけ部を耳に掛けた際に帯状の肉厚部の中央部分から端縁部まで伸びる帯状の肉厚部の側方部分の各々を顔面側に折り込んで各耳かけ部により顔面の頬部位に当接させるように構成され、装着時に帯状の肉厚部の長手方向に沿った上端縁部が使用者の鼻尖から鼻翼及び頬に沿って密着するように構成され得る。
【００２１】
これらの実施形態においては、マスク本体を形成する不織布部材は四辺形であり、マスク本体の両側部に設けた上記耳かけ部は伸縮性の紐で構成され、各紐の一端は帯条の肉厚部の対応した端縁部に固定され、他端は不織布部材の下端部の対応した端縁部に固定され得る。
また、マスク本体の両側部に設けた耳かけ部は四辺形の不織布部材の四隅に一体的に形成され得る。
好ましくは、帯条の肉厚部の幅は例えば使用する年齢層や性別などに応じて５ｍｍ〜４５ｍｍの範囲で任意に設定され得る。
【考案の効果】
【００２２】
本考案に係るマスクは、装着時に顔面の鼻尖より上方部位に対応するマスク本体を形成する不織布部材の位置に不織布部材の全幅にわたって伸びる少なくとも一つの呼気上昇防止襞を設けたことにより、装着者の顔面特に鼻の両側の領域とマスク本体との間に生じ得る隙間は実質的に塞がれ、かかる隙間を通って呼気が上方へ漏れるのが実質的に防止され、その結果、装着者が眼鏡を使用していても呼気により眼鏡が曇るのを避けることができ、使用時の不快感を防止できる。また、マスクの上端縁を介して吸気時に花粉や粉塵、細菌、ウイルスなどの吸い込みを避けることができる。
さらに、本考案に係るマスクは、呼気上昇防止襞を含めてマスク本体を実質的に不織布部材のみで構成できるので、製造コストを低く抑えることが可能となるだけでなく、比較的簡単に多量生産することができ、低価格の有用な使い捨てマスクを提供することができる。
【００２３】
また、本考案の実施形態に係るマスクでは、マスク本体を形成する不織布部材の上端部に帯状の肉厚部を形成し、この帯状の肉厚部で装着時に顔面の装着領域とマスク本体との間に実質的に隙間ができないように構成しているので、呼気上昇防止襞と上端部における帯状の肉厚部との二重構造により、呼気の上方への漏れ及びマスクの上端縁を介しての吸気時に花粉や粉塵、細菌、ウイルスなどの吸い込みをより確実に阻止することができる。
【図面の簡単な説明】
【００２４】
【図１】本考案の第一の実施形態によるマスクのマスク本体を構成する不織布部材を示す概略斜視図。
【図２】図１に示すマスクのマスク本体を構成する不織布部材の上端部を折り曲げそして呼気上昇防止襞を形成した状態で示す概略斜視図。
【図３】本考案の第一の実施形態によるマスクを示す概略斜視図。
【図４】本考案の第一の実施形態によるマスクの使用状態を示す概略斜視図。
【図５】本考案の第一の実施形態によるマスクの装着の仕方を示す概略斜視図。
【図６】本考案の第二の実施形態によるマスクのマスク本体を構成する不織布部材を示す概略斜視図。
【図７】図６に示すマスクのマスク本体を構成する不織布部材の上端部を折り曲げそして呼気上昇防止襞を形成した状態で示し、（Ａ）はマスクの外側から見た概略斜視図、（Ｂ）はマスクの内側から見た概略斜視図。
【図８】本考案の第二の実施形態によるマスクを示し、（Ａ）はマスクの外側から見た概略斜視図、（Ｂ）はマスクの内側から見た概略斜視図。
【図９】本考案の第二の実施形態によるマスクの使用状態を示す概略斜視図。
【図１０】本考案の第三の実施形態によるマスクのマスク本体を構成する不織布部材を示す概略斜視図。
【図１１】図１０に示すマスクのマスク本体を構成する不織布部材の上端部を折り曲げそして呼気上昇防止襞を形成した状態で示す概略斜視図。
【図１２】本考案の第三の実施形態によるによるマスクを示す概略斜視図。
【図１３】本考案の第三の実施形態によるマスクの使用状態を示す概略斜視図。
【図１４】本考案の第一の実施形態の変形例を示す概略斜視図。
【図１５】本考案の第二の実施形態の変形例を示す概略斜視図。
【図１６】本考案の第三の実施形態の変形例を示す概略斜視図。
【図１７】本考案の変形実施形態を示す概略斜視図。
【図１８】本考案の別の変形実施形態を示す概略斜視図。
【図１９】本考案の別の変形実施形態を示す概略斜視図。
【図２０】本考案のさらに別の変形実施形態を示す概略斜視図。
【考案を実施するための形態】
【００２５】
図１〜図４には本考案の第一の実施形態を示し、図１には、マスクのマスク本体を構成する不織布部材１を概略斜視図で示す。不織布部材１は当然、花粉や粉塵、細菌及びウイルスの通過を阻止する機能をもっている。図示例では不織布部材１の形状は四辺形をなし、その上端部２は折り曲げ線３に沿って図２に示すように内側に折り曲げられて、帯状の肉厚部４を形成している。帯状の肉厚部４の両側方端部分４ａ、４ｂは、中間部分４ｃを残して不織布部材１の顔面に接触する側すなわち内側の面１ａに固着されている。この固着は接着剤や縫い合せや圧着等の手段を用いて行うことができる。帯状の肉厚部４の中間部分４ｃは図３に示すように不織布部材１の内側の面１ａから離れる方向に開くことができ、それにより、使用者の鼻尖や鼻翼を受ける鼻受け凹部５を形成している。帯状の肉厚部４の幅は好ましくは例えば使用する年齢層や性別などに応じて５ｍｍ〜４５ｍｍの範囲で任意に設定することができる。又帯状の肉厚部４の厚さは折り曲げ回数を増して重ね折りすることにより設定できるが、一重から五重程度の範囲に設定するのが好ましい。
【００２６】
また、マスク本体を形成する不織布部材１には、マスクの装着時に顔面の鼻尖付近に対応する位置に、不織布部材１の全幅にわたって伸びる呼気上昇防止襞６が設けられている。この呼気上昇防止襞６は、マスク本体を形成する不織布部材１の上縁部すなわち帯状の肉厚部４にほぼ平行に横断基線７に沿って筒状体を成すように折りたたみ、そして呼気上昇防止襞６の両側端基部６ａ、６ｂ及び中央基部６ｃはマスク本体の不織布部材１に固着される。呼気上昇防止襞６は図示したようにループ状の襞を成し、呼気上昇防止襞６の幅は好ましくは例えば使用する年齢層や性別などに応じて５ｍｍ〜６０ｍｍの範囲で任意に設定することができる。この場合、呼気上昇防止襞６は、不織布部材１の一部をループ状に形成するか、代わりに別個に形成したループ状の呼気上昇防止襞６を不織布部材１に固着することにより設けることができる。
【００２７】
また、符号８は、耳かけ部を成す耳かけ紐を表し、この耳かけ紐８は伸縮性の紐で構成され、各紐の一端はそれぞれ帯状の肉厚部４の対応した端縁部すなわち側方端部分４ａ、４ｂに固定され、他端は不織布部材１の下端部９の対応した端縁部９ａ、９ｂ付近にそれぞれ固定される。
【００２８】
このように構成した本考案の第一の実施形態によるマスクの使用について以下説明する。
まずマスク本体を構成している不織布部材１における帯状の肉厚部４の中間部分４ｃを開いて中間部分４ｃで画定した鼻受け凹部５を鼻尖及び鼻翼に当てて不織布部材１の内側の面１ａを顔面に接触させ、帯状の肉厚部４の中間部分４ｃとそれぞれの側方端部分４ａ、４ｂを指で鼻翼沿って押し当て各耳かけ紐８を耳に掛ける。或いは代わりにマスクを顔面にそのまま密着させ、紐８を耳に掛け、そして図５に示すように肉厚部の外側中央を両手の親指と人差指で摘み、顔面から引き離しながら肉厚部４の中間部分４ｃを上に向かって開かせ鼻筋に密着させることによりマスクを装着してもよい。これらの場合、帯状の肉厚部４の両側方端部分４ａ、４ｂは図４に示すように、顔面に密着し、帯状の肉厚部４の中間部分４ｃとそれぞれの側方端部分４ａ、４ｂとの間でねじれるようにする。これにより、マスク本体はその外周囲に沿って顔面と密着する。
また、使用者がマスク本体を顔面に装着すると、呼気上昇防止襞６は使用者の鼻尖の付近位置に位置し、それにより使用者の鼻及び口からの呼気がマスク本体の上端縁部から漏れるのを阻止するように作用する。この呼気上昇防止襞６の機能と帯状の肉厚部４の機能との相乗作用により、使用者の呼気及び吸気は実質的にマスク本体を横切って通過させることができ、それにより、使用者が眼鏡を使用している場合に眼鏡の曇りを未然に防ぐことができるだけでなく、マスク本来の目的である花粉や粉塵、細菌、ウイルスなどの吸い込みや使用者からの細菌、ウイルスなどの飛散を一層確実に防止することができる。
【００２９】
図６〜図９には本考案による第二の実施形態を示し、図１〜図４に示す第一の実施形態と対応した部分は同じ符号で示す。図６に概略斜視図で示すマスクのマスク本体を構成する不織布部材１は、第一の実施形態の場合と同様に、花粉や粉塵、細菌及びウイルスの通過を阻止する機能を備え、またその形状は四辺形をなしている。不織布部材１の上端部２は折り曲げ線３に沿って図７の（Ａ）、（Ｂ）に示すように外側面１ｂ側に折り曲げられて、帯状の肉厚部４を形成している。帯状の肉厚部４の長手方向中央部分４ｃは不織布部材１の外側面１ｂに固着され、この固着には接着剤や縫い合せや圧着等の手段が用いられ得る。図７の（Ｂ）に示すように帯状の肉厚部４の長手方向中央部分４ｃの付近で不織布部材１の内側面１ａは、使用時に使用者の鼻尖付近に当接するようにされている。帯状の肉厚部４の長手方向中央部分４ｃから端縁部４ｄ、４ｅまで伸びる帯状の肉厚部の側方部分４ｆ、４ｇの各々は、不織布部材１の外側面１ｂに固着されず、上方へ展開でき、それにより装着時に帯状の肉厚部４の長手方向に沿った上端縁部４ｈが使用者の鼻尖から鼻翼及び頬に沿って密着するように構成されている。
帯状の肉厚部４の幅は好ましくは例えば使用する年齢層や性別などに応じて５ｍｍ〜４５ｍｍの範囲で任意に設定することができる。また、帯状の肉厚部４の厚さは折り曲げ回数を増して重ね折りすることにより設定できるが、一重から五重程度の範囲に設定するのが好ましい。
【００３０】
また、マスク本体を形成する不織布部材１には、第一の実施形態の場合とは逆に、マスクの装着時に顔面の鼻尖付近に対応する位置に、不織布部材１の内側面１ａの全幅にわたって伸びる呼気上昇防止襞６が設けられている。この呼気上昇防止襞６は、マスク本体を形成する不織布部材１の上縁部すなわち帯状の肉厚部４にほぼ平行に横断基線７に沿って筒状体を成すように折りたたみ、そして呼気上昇防止襞６の両側端基部６ａ、６ｂ及び中央基部６ｃはマスク本体の不織布部材１に固着される。呼気上昇防止襞６は図示したようにループ状の襞を成し、呼気上昇防止襞６の幅は好ましくは例えば使用する年齢層や性別などに応じて５ｍｍ〜６０ｍｍの範囲で任意に設定することができる。この場合も呼気上昇防止襞６は、別個に用意して不織布部材１に固着してもよい。
【００３１】
図８に符号８で示す耳かけ部を形成する耳かけ紐は、伸縮性の紐で構成され、各紐８の一端はそれぞれ帯状の肉厚部４の対応した端縁部４ｄ、４ｅの付近で帯状の肉厚部４の側方部分４ｆ、４ｇ付近の上隅に固着され、各紐８の他端はそれぞれマスク本体の不織布部材１の対応した端縁部の下隅に固着される。各耳かけ部を耳に掛けた際に帯状の肉厚部４の長手方向中央部分４ｃから端縁部４ｄ、４ｅまで伸びる帯状の肉厚部の側方部分４ｆ、４ｇの各々は図９に示すように各紐８の働きにより上方へ展開され、帯状の肉厚部４の長手方向に沿った上端縁部４ｈは使用者の鼻尖から鼻翼及び頬に沿って密着できる。
【００３２】
このように構成した本考案の第二の実施形態によるマスクの使用について以下説明する。
まずマスク本体を構成している不織布部材１における帯状の肉厚部４の中央部分４ｃの付近で不織布部材１の内側面１ａを鼻尖に当て、各耳かけ紐８を耳に掛け、帯状の肉厚部４の長手方向中央部分４ｃから端縁部まで伸びる帯状の肉厚部４の側方部分４ｆ、４ｇの各々を図９に示すように上方へ展開させて、帯状の肉厚部４の長手方向に沿った上端縁部４ｈが使用者の鼻尖から鼻翼及び頬に沿って密着するようにして装着される。
また、使用者がマスク本体を顔面に装着すると、呼気上昇防止襞６は使用者の鼻尖付近に位置し、それにより使用者の鼻及び口からの呼気がマスク本体の上端縁部から漏れるのを阻止するように作用する。この呼気上昇防止襞６の機能と帯状の肉厚部４の機能との相乗作用により、使用者の呼気及び吸気は実質的にマスク本体を横切って通過させることができ、それにより、使用者が眼鏡を使用している場合に眼鏡の曇りを未然に防ぐことができるだけでなく、マスク本来の目的である花粉や粉塵、細菌、ウイルスなどの吸い込みや使用者からの細菌、ウイルスなどの飛散を一層確実に防止することができる。
【００３３】
次に図１０〜図１３を参照すると本考案による第三の実施形態が示され、図１〜図４に示す第一の実施形態と対応した部分は同じ符号で示す。
【００３４】
図１０に概略的に示すマスクのマスク本体を構成する不織布部材１は、花粉や粉塵、細菌及びウイルスの通過を阻止する機能を備え、また四辺形の形状をなしている。不織布部材１の上端部２は折り曲げ線３に沿って図１０に示すように内側に折り曲げられて、帯状の肉厚部４を形成している。帯状の肉厚部４は不織布部材１の内側面１ａに固着され、この固着には接着剤や縫い合せや圧着等の手段が用いられ得る。帯状の肉厚部４の幅は好ましくは例えば使用する年齢層や性別などに応じて５ｍｍ〜４５ｍｍの範囲で任意に設定することができる。また、帯状の肉厚部４の厚さは折り曲げ回数を増して重ね折りすることにより設定できるが、一重から五重程度の範囲に設定するのが好ましい。
【００３５】
また、マスク本体を形成する不織布部材１には、第一の実施形態の場合と同様に、マスクの装着時に顔面の鼻尖付近に対応する位置に、不織布部材１の全幅にわたって伸びる呼気上昇防止襞６が設けられている。この呼気上昇防止襞６は、マスク本体を形成する不織布部材１の上縁部すなわち帯状の肉厚部４にほぼ平行に横断基線７に沿って筒状体を成すように折りたたみ、そして呼気上昇防止襞６の両側端基部６ａ、６ｂ及び中央基部６ｃはマスク本体の不織布部材１に固着される。呼気上昇防止襞６は図示したようにループ状の襞を成し、呼気上昇防止襞６の幅は好ましくは例えば使用する年齢層や性別などに応じて５ｍｍ〜６０ｍｍの範囲で任意に設定することができる。
【００３６】
図１２に符号８で示す耳かけ部を形成する耳かけ紐は、伸縮性の紐で構成され、各紐８の一端はそれぞれ帯状の肉厚部４の対応した端縁部４ｄ、４ｅより下方の不織布部材１の側縁部１ｂ、１ｃに固着され、各紐８の他端はそれぞれ不織布部材１の下方側縁部１ｄ、１ｅの付近に固着される。
帯状の肉厚部４の中央部分４ｃは使用者の鼻尖上に当接する当接部を構成し、また帯状の肉厚部４の長手方向中央部分４ｃから端縁部４ｄ、４ｅまで伸びる帯状の肉厚部４の側方部分４ｆ、４ｇの各々は、使用時には顔面の頬の部位に当接するように顔面側に折り込まれ、耳かけ紐８及び帯状の肉厚部４に隣接した不織布部材１の部分により顔面との間に圧接した状態で保持され得る。これにより、帯状の肉厚部４の長手方向に沿った上端縁部４ｈは使用者の鼻尖から鼻翼及び頬に沿って密着できる。
【００３７】
このように構成した本考案の第三の実施形態によるマスクの使用について以下説明する。
まずマスク本体を構成している不織布部材１における帯状の肉厚部４の中央部分４ｃを鼻尖に当て、各耳かけ紐８を耳に掛け、帯状の肉厚部４の長手方向中央部分４ｃから端縁部４ｄ、４ｅまで伸びる帯状の肉厚部４の側方部分４ｆ、４ｇの各々を図１３に示すように顔面の頬側に折り込み、帯状の肉厚部４の長手方向に沿った上端縁部４ｈが使用者の鼻尖から鼻翼及び頬に沿って密着するようにして装着される。
【００３８】
また、使用者がマスク本体を顔面に装着すると、呼気上昇防止襞６は使用者の鼻尖付近に位置し、それにより使用者の鼻及び口からの呼気がマスク本体の上端縁部から漏れるのを阻止するように作用する。この呼気上昇防止襞６の機能と帯状の肉厚部４の機能との相乗作用により、使用者の呼気及び吸気は実質的にマスク本体を横切って通過させることができ、それにより、使用者が眼鏡を使用している場合に眼鏡の曇りを未然に防ぐことができるだけでなく、マスク本来の目的である花粉や粉塵、細菌、ウイルスなどの吸い込みや使用者からの細菌、ウイルスなどの飛散を一層確実に防止することができる。
【００３９】
図示した各実施形態においては、各耳かけ紐８の代わりに、不織布部材１の両側部に一体的に耳かけ部を形成してもよい。
【００４０】
第一〜第三のそれぞれの実施形態においては、一つの呼気上昇防止襞６が設けられているが、代わりに、図１４、図１５及び図１６に示すように、二つの呼気上昇防止襞を連続させて設けて二重に構成することもできる。
【００４１】
図１７には本考案の変形実施形態が示され、マスクのマスク本体を構成する不織布部材１には、マスクの装着時に顔面の鼻尖付近に対応する位置に、不織布部材１の全幅にわたって伸びる二つの呼気上昇防止襞６が間隔を置いて設けられている。これらの呼気上昇防止襞６は、マスク本体を形成する不織布部材１の上縁部にほぼ平行にかつ互いに平行に筒状体を成すように折りたたみ、そして呼気上昇防止襞６の両側端基部６ａ、６ｂ及び中央基部６ｃはマスク本体の不織布部材１に固着される。呼気上昇防止襞６は図示したようにループ状の襞を成し、呼気上昇防止襞６の幅は好ましくは例えば使用する年齢層や性別などに応じて５ｍｍ〜６０ｍｍの範囲で任意に設定することができる。
【００４２】
図１８及び図１９には本考案の異なる別の変形実施形態が示され、マスクのマスク本体を構成する不織布部材１には、マスクの装着時に顔面の鼻尖付近に対応する位置に、不織布部材１の全幅にわたって伸びる呼気上昇防止襞６が設けられている。この呼気上昇防止襞６は、前述の各実施形態の場合より長く形成され、マスク本体を形成する不織布部材１の上縁部にほぼ平行にかつ互いに平行に筒状体を成すように折りたたみ、そして呼気上昇防止襞６の両側端基部６ａ、６ｂ及び中央基部はマスク本体の不織布部材１に固着される。図１８に示す変形実施形態では、多呼気上昇防止襞６は図示したように下方向に丸めて形成されている。一方、図１９に示す変形実施形態では、多呼気上昇防止襞６は図示したように上方向に丸めて形成されている。
図１８及び図１９に示すいずれの変形実施形態でも、呼気上昇防止襞６の幅は好ましくは例えば使用する年齢層や性別などに応じて５ｍｍ〜６０ｍｍの範囲で任意に設定することができる。
【００４３】
図２０には、本考案のさらに別の変形実施形態が示され、マスクのマスク本体を構成する不織布部材１には、マスクの装着時に顔面の鼻尖付近に対応する位置に、不織布部材１の全幅にわたって伸びる呼気上昇防止襞６が設けられている。この呼気上昇防止襞６は、図１８及び図１９の場合同様に長く形成され、マスク本体を形成する不織布部材１の上縁部にほぼ平行にかつ互いに平行に筒状体を成すように折りたたみ、そして呼気上昇防止襞６の両側端基部６ａ、６ｂ及び中央基部６ｃはマスク本体の不織布部材１に固着される。呼気上昇防止襞６は図示したようにその中央部に切れ目６ｄを備えている。
【符号の説明】
【００４４】
１  不織布部材
２  不織布部材１の上端部
３  折り曲げ線
４  帯状の肉厚部
４ａ、４ｂ  帯状の肉厚部４の両側方端部分
４ｃ  帯状の肉厚部４の中間部分
５  鼻受け凹部
６  呼気上昇防止襞
６ａ、６ｂ  呼気上昇防止襞６の両側端基部
６ｃ  中央基部
６ｄ  切れ目
８  耳かけ部を成す耳かけ紐
【図１】
0003191201.tif 000003
【図２】
0003191201.tif 000004
【図３】
0003191201.tif 000005
【図４】
0003191201.tif 000006
【図５】
0003191201.tif 000007
【図６】
0003191201.tif 000008
【図７】
0003191201.tif 000009
【図８】
0003191201.tif 000010
【図９】
0003191201.tif 000011
【図１０】
0003191201.tif 000012
【図１１】
0003191201.tif 000013
【図１２】
0003191201.tif 000014
【図１３】
0003191201.tif 000015
【図１４】
0003191201.tif 000016
【図１５】
0003191201.tif 000017
【図１６】
0003191201.tif 000018
【図１７】
0003191201.tif 000019
【図１８】
0003191201.tif 000020
【図１９】
0003191201.tif 000021
【図２０】
0003191201.tif 000022